(57)【要約】【課題】睫毛の生え際に簡単にアイラインを描くことができるアイライナーを提供する。【解決手段】塗布体に、長手軸線を目の輪郭に合わせて円弧とした湾曲部を形成し、円弧となった長手軸線が属するＸＹ平面と交差する方向に把持部を連結するとともに、把持部の連結方向に対して他側の湾曲部の表面に化粧液を含浸させる。把持部を持つと、化粧液を含浸させた湾曲部の表面が目の縁に対向するので、目の縁と睫毛の生え際へ押し当て、睫毛による抵抗を受けずにアイラインを描く。【選択図】図６
2008289689.tif 000002
【特許請求の範囲】
【請求項１】
長手軸線に沿った細長ロッド状で、表面に化粧料を含浸させる塗布体と、
連結軸を介して前記塗布体に連結する把持部とを備えたアイライナーであって、
前記塗布体は、長手軸線を目の輪郭に合わせて円弧とした湾曲部を少なくともその一部に有し、
円弧となった長手軸線が属するＸＹ平面と交差する方向に、前記塗布体から前記把持部を連結するとともに、
前記ＸＹ平面で区切られる前記湾曲部の表面のうち、少なくとも前記把持部の連結方向に対して他側の表面を、目の縁に押し当てる円筒押圧面とすることを特徴とするアイライナー。
【請求項２】
塗布体は、表面をフロック加工したプラスチック製坦体であることを特徴とする請求項１に記載のアイライナー。
【請求項３】
湾曲部の長手軸線から円筒押圧面にフロック加工した起毛の先端までの長さが、１．５ｍｍ以下であることを特徴とすることを特徴とする請求項２に記載のアイライナー。
【請求項４】
長手軸線に沿った細長ロッド状で、表面に化粧料を含浸させる塗布体と、
連結軸を介して前記塗布体に連結する把持部とを備えたアイライナーであって、
前記塗布体は、長手軸線を目の輪郭に合わせて円弧とし、先端に向かって先細りとなる砲弾状湾曲部を先端側に有し、
円弧となった長手軸線が属するＸＹ平面と交差する方向に、前記塗布体から前記把持部を連結するとともに、
前記ＸＹ平面で区切られる前記砲弾状湾曲部の表面のうち、少なくとも前記把持部の連結方向に対して他側の表面を、目の縁に押し当てる裁頭円錐押圧面とすることを特徴とするアイライナー。
【発明の詳細な説明】
【技術分野】
【０００１】
本発明は、目の縁に沿ってアイラインを描くアイライナーに関し、更に詳しくは睫毛の生え際にアイラインを描くアイライナーに関する。
【背景技術】
【０００２】
従来、目の縁にアイラインを描くアイライナーには、把持部となるキャップから垂下された塗布軸の先端に複数本の毛を軸心方向に束ねた塗布筆を備えた毛筆型のアイライナーが知られ（特許文献１）、液体化粧液を含浸させた塗布筆を、目の縁に沿ってなぞり、細幅のアイラインを描いていた。
【０００３】
また、目の縁の睫毛の生え際と重なる部分に化粧液を塗布し、アイラインを描くために、図８に示すように、塗布体１０１を整列した歯部１０２を備えた櫛形とし、睫毛の隙間に歯部を入り込ませて、生え際への化粧液の塗布を容易にした櫛形のアイライナー１００も知られている（特許文献２）。
【０００４】
【特許文献１】実開平６−５２７１２号（要約、図２）
【特許文献２】特開２００２−３４５５４９号（第５頁第８欄第４９行乃至第６頁第９欄第２行、図４（ｄ））
【発明の開示】
【発明が解決しようとする課題】
【０００５】
毛筆型のアイライナーは、化粧液を含浸させた塗布筆の先端を先細りとすることによって、細幅のアイライン描くことが可能であるが、目の縁は、瞼が眼球上で外側に突出する凸曲面となっていて、また瞼自体の輪郭も湾曲しているため、筆圧加減を調整して均一幅のアイラインを描くには熟練を要していた。
【０００６】
更に、細い塗布筆では、睫毛にじゃまされて目の縁に沿ってなぞることができないので、目の縁の睫毛の生え際は、睫毛の隙間に塗布筆を押し付け、ドット状に塗布した化粧液を連続させてアイラインを描かざるをえず、多数の箇所に塗布筆を押し付ける作業が煩わしく、更に均一幅のアイラインを描くことができなかった。
【０００７】
一方、櫛形のアイライナー１００によれば、睫毛の隙間に歯部１０２を侵入させ、眉毛の生え際へ化粧液を塗布することが容易になるが、目の輪郭に対して直交方向に歯部をなぞり化粧液を塗布するので、アイラインとするには繰り返して塗布体１０１なぞる必要があり、また、目の輪郭に沿って均一幅のアイラインを描くことが困難なことから、実用性に欠けるものであった。
【０００８】
本発明は、このような従来の問題点を考慮してなされたものであり、睫毛の生え際に簡単にアイラインを描くことができるアイライナーを提供することを目的とする。
【０００９】
また、目の輪郭に沿って均一幅で、かつその幅を所望の幅としたアイラインを描くことができるアイライナーを提供する。
【課題を解決するための手段】
【００１０】
上述の目的を達成するため、請求項１のアイライナーは、長手軸線に沿った細長ロッド状で、表面に化粧液を含浸させる塗布体と、連結軸を介して前記塗布体に連結する把持部とを備えたアイライナーであって、塗布体は、長手軸線を目の輪郭に合わせて円弧とした湾曲部を少なくともその一部に有し、円弧となった長手軸線が属するＸＹ平面と交差する方向に、塗布体から把持部を連結するとともに、前記ＸＹ平面で区切られる湾曲部の表面のうち、少なくとも把持部の連結方向に対して他側の表面を、目の縁に押し当てる円筒押圧面とすることを特徴とする。
【００１１】
把持部の連結方向に対して、湾曲部の他側の表面が円筒押圧面となっているので、把持部によって円筒押圧面を目の縁に押し当て、塗布体に含浸させた化粧液が目の縁に付着される。円筒押圧面の目の縁に対する接触面は、湾曲部の長手軸線が目の輪郭に合わせた円弧となっているので、目の輪郭に沿った円弧状のラインとなり、目の縁に沿って押し当てを繰り返すことにより、目の縁に沿って輪郭が明瞭な細幅のアイラインが描かれる。
【００１２】
目の縁に接触する部分で、湾曲部を長手軸線周りで回動させるように把持部を回動させれば、円筒押圧面は目の縁と直交する方向に転がり接触し、扇形のアイラインの内側輪郭と外側輪郭を任意の位置とすることができる。また、円筒押圧面の目の縁への押し付け力を増減することにより円筒押圧面の接触面積が変化するので、円弧状のアイラインの幅を簡単に調整できる。
【００１３】
請求項２のアイライナーは、塗布体が、表面をフロック加工したプラスチック製坦体であることを特徴とする。
【００１４】
塗布体を細長ロッド状としても、機械的強度に優れ、所定の弾性を有するプラスチック材料をプラスチック製坦体の素材に選択することによって、基端側に連結する把持部から押圧力が加えられても折れない。
【００１５】
プラスチック製坦体の表面をフロック加工することによって、粘度の低い化粧液を塗布体の表面に含浸させることができる。
【００１６】
請求項３のアイライナーは、湾曲部の長手軸線から円筒押圧面にフロック加工した起毛の先端までの長さが、１．５ｍｍ以下であることを特徴とする。
【００１７】
円筒押圧面にフロック加工した起毛による目の縁への最大接触幅は、約３ｍｍとなり、一般女性の目の縁から睫毛の生え際の輪郭までの幅３ｍｍからはみ出すことなく、アイラインが描かれる。
【００１８】
請求項４のアイライナーは、長手軸線に沿った細長ロッド状で、表面に化粧液を含浸させる塗布体と、連結軸を介して前記塗布体に連結する把持部とを備えたアイライナーであって、塗布体は、長手軸線を目の輪郭に合わせて円弧とし、先端に向かって先細りとなる砲弾状湾曲部を先端側に有し、円弧となった長手軸線が属するＸＹ平面と交差する方向に、塗布体から把持部を連結するとともに、ＸＹ平面で区切られる砲弾状湾曲部の表面のうち、少なくとも把持部の連結方向に対して他側の表面を、目の縁に押し当てる裁頭円錐押圧面とすることを特徴とする。
【００１９】
把持部の連結方向に対して、砲弾状湾曲部の他側の表面が裁頭円錐押圧面となっているので、把持部によって裁頭円錐押圧面を目の縁に押し当て、塗布体に含浸させた化粧液が目の縁に付着される。裁頭円錐押圧面と目の縁の接触面は、砲弾状湾曲部が先端に向かって先細りとなる扇状となるので、先端に向かって先細りの円弧状となり、睫毛の端に向かって自然に細いラインとなるアイラインが描かれる。
【００２０】
砲弾状湾曲部の長手軸線は円弧となっているので、凸曲面となった瞼の湾曲する目の縁に対しても、砲弾状湾曲部を押し当てるだけで、端に向かって先細りとなるアイラインが描かれる。
【００２１】
砲弾状湾曲部を長手軸線周りで回動させるように把持部を回動させれば、裁頭円錐押圧面は塗布体の先端側を中心に転がり接触し、先端に向かって細幅となるアイラインの輪郭が調整される。また、裁頭円錐押圧面の目の縁への押し付け力を増減することにより、扇形のアイラインの幅が調整される。
【発明の効果】
【００２２】
請求項１の発明によれば、接触面が目の縁に沿って湾曲する円筒押圧面の目の縁への押し当てを繰り返して化粧液を付着させるので、凸曲面となった瞼の湾曲する目の縁に沿って、アイラインを簡単に描くことができる。
【００２３】
湾曲部の円筒押圧面を押し当ててアイラインを描くので、目の縁の睫毛の生え際に対しても睫毛にじゃまされず、アイラインを簡単に描くことができる。
【００２４】
把持部によって円筒押圧面を回動させることによって、アイラインを目の縁までむらなくアイラインを描くことができ、また、外輪郭線が目の縁に沿ったアイラインを、所望幅で描くことができる。
【００２５】
これに加えて請求項２の発明によれば、塗布体を細長ロッド状としても、機械的強度に優れ、所定の弾性を有するプラスチック材料をプラスチック製坦体の素材に選択することによって、把持部で押圧力を加えても折れにくい操作体とすることができる。
【００２６】
また、プラスチック製坦体の表面をフロック加工することによって、粘度の低い化粧液を塗布体の表面に含浸させても、塗布体から化粧液が落下しない。
【００２７】
これに加えて、請求項３の発明によれば、湾曲部の長手軸線から円筒押圧面にフロック加工した起毛による目の縁への最大接触幅は、湾曲部を回動させない限り、一般女性の目の縁から睫毛の生え際の輪郭までの幅３ｍｍ以内となり、睫毛の生え際からアイラインがはみ出て描かれることがない。
【００２８】
これに加えて請求項４の発明によれば、砲弾状湾曲部の裁頭円錐押圧面を押し当ててアイラインを描くので、目の縁の睫毛の生え際に対しても睫毛にじゃまされず、アイラインを簡単に描くことができる。
【００２９】
把持部によって砲弾状湾曲部の裁頭円錐押圧面円を回動させることによって、睫毛の端に向かって自然に細いラインとなる扇形のアイラインを容易に描くことができる。
【発明を実施するための最良の形態】
【００３０】
以下、本発明の一実施の形態に係るアイライナー１の構成を、図１乃至図６を用いて説明する。図１は、アイライナー１とアイライナー１を使用しない際に収容するアイライナー１の塗布体４を収容する容器本体２を示す縦断面図、図２は、アイライナー１の要部斜視図、図３は、塗布体４に内連結軸５が連結された塗布具３を示す各図及び断面図、図４は、塗布具３の斜視図、図５は、塗布体４の長手軸線Ｒ１、Ｒ２が属するＸＹ平面と直交する方向から塗布体４を視た平面図、図６は、アイライナ１の使用状態を示す斜視図である。
【００３１】
図１に示すように、アイライナー液となる化粧液を収容する容器本体２は、プラスチックにより有底円筒状に形成され、その一側開口筒部２ａの内側に、アイライナー１の塗布体４に付着した余分な化粧液を容器本体２内へ戻すしごき筒部８が取り付けられている。
【００３２】
アイライナー１は、この容器本体２のキャップを兼ねるプラスチック製の円筒状の把持部６と、把持部６の内側面に上端側が固定され、把持部６の中心軸に沿って下方に垂設された外連結軸７と、外連結軸７の下端側に固着された塗布具３とからなっている。
【００３３】
把持部６の下方裾部の外連結軸７と対向する内側面には、容器本体２の開口筒部２ａ外周面に形成された雄ねじ２ｂに螺合する雌ねじ６ａが形成され、これにより、アイライナー１を使用しない状態では、雄ねじ２ｂに雌ねじ６ａをねじ込み、把持部６で容器本体２の開口を完全に密封し、容器本体２に収容される化粧液が漏れ出ないようにしている。把持部６を開口筒部２ａに取り付けた状態で、アイライナー１下端の塗布具３は、容器本体２の内底面付近まで挿入され、塗布体３の塗布体４表面に化粧液が含浸される。
【００３４】
円柱状の外連結軸７には、下端面から中心軸に沿って塗布具３の内連結軸５に外嵌する凹部７ａが凹設されている。塗布具３は、この凹部７ａ内に円柱状の内連結軸５を圧入し、把持部６、外連結軸７及び内連結軸５の各中心軸が同一鉛直線上に連続した状態で、外連結軸７に固定される。
【００３５】
図３（ｃ）に示すように、内連結軸５の下方は、先細りとなるテーパー部５ａとなり、内連結軸５の中心軸方向、すなわち鉛直方向に対して、下向き４５度の角度で塗布体４が一体に連設されている。塗布体４は、同図（ｆ）に示すように、横断面が円形の細長ロッド状に形成され、図５に示すように、その長手方向に沿った軸線が目の輪郭に合わせて円弧Ｒ１となった湾曲部４Ａとその先端側で軸線の曲率が円弧Ｒ１よりやや大きい円弧Ｒ２で、軸線と直交する横断面積が先端に向かって次第に小さくなる砲弾状湾曲部４Ｂとからなっている。尚、図３で表される塗布具３の背面図は、同図（ｃ）の正面図に対して左右対称に表れるので、図示を省略している。
【００３６】
内連結軸５は、この塗布体４の湾曲方向が属する平面、すなわち、円弧Ｒ１、Ｒ２が属する図５に示すＸＹ平面（紙面に平行な面）に対して、４５度の角度で交差するように連結されるので、把持部６も塗布体４の湾曲方向に対して交差する内連結軸５の中心軸を延長させた軸回りに固定されるものとなる。把持部６は、把持部６を持って湾曲部４Ａ若しくは砲弾状湾曲部４Ｂを目の周囲に押し付ける為に、ＸＹ平面に対して交差する方向に連結されるものであり、ＸＹ平面で区切られる湾曲部４Ａ若しくは砲弾状湾曲部４Ｂの表面のうち、把持部６の連結方向と反対側の表面が、それぞれ円筒押圧面１０、裁頭円錐押圧面１１となっている。
【００３７】
従って、把持部６を持って塗布体４を目の縁に接近させると、塗布体４が自然に目の輪郭に沿って湾曲するように円弧Ｒ１の曲率が設定され、表面に化粧液を染み込ませた湾曲部４Ａの円筒押圧面１０若しくは砲弾状湾曲部４Ｂの円錐押圧面１１を、目の縁若しくは睫毛の生え際に押し付けることにより、睫毛の生え際であってもアイラインが描かれる。  
【００３８】
このように、化粧液を表面に含浸させた塗布体４を目の縁に押し付けて使用するために、内連結軸５と塗布体４が一体に成形された塗布具３は、一定の弾性と機械強度を有し、かつ耐油性に優れたプラスチック材料で成形することが望ましく、ここでは、熱可塑性ポリウレタンエラストマー（ＴＰＵ）を用いて上記形状に成形されている。
【００３９】
また、塗布体４の表面には、化粧液中に浸して一定量の化粧液を含浸させるために、図２に示すように、フロック（起毛）処理が施されている。塗布体４の表面に植毛されるフロック９は、長さが０．７ｍｍ前後、直径が７０μｍ程度のポリアミド、レーヨン、コットンなどからなる繊維で、ここではＴＰＵに植毛可能なポリアミドで形成している。
【００４０】
図６に示すように、一般女性の目の縁から睫毛の上方の生え際までの幅ｄは、３ｍｍ前後であり、湾曲部４Ａの円筒面を睫毛の生え際に押し付けても化粧液が生え際からはみ出ないように、湾曲部４Ａの軸回りの半径を０．８ｍｍのロッド状とし、表面に植毛される長さ０．７ｍｍのフロック９を加えても最大接触幅を３ｍｍ以下となるようにしている。
【００４１】
以下、このように構成されたアイライナー１を用いて目の縁にアイラインを描く、アイライナー１の使用方法を説明する。円筒状の把持部６を回転させて、容器本体２からアイライナー１を引き抜くと、しごき筒部８によって塗布体４の表面に付着する余分な化粧液が容器本体２内に落とされ、適量の化粧液がフロック９を植毛した塗布体４の表面に含浸される。
【００４２】
本実施の形態に係るアイライナー１は、図３（ｃ）の正面図において、背面方向に湾曲部４Ａが湾曲する塗布体４の左側に上方（平面方向）に起立する内連結軸５が一体に連結されている。従って、右利きの人が右手で把持部６を持って、図６に示すように、目の上側の縁に塗布体４を接近させると、上方に湾曲する湾曲部４Ａの円筒押圧面１０が目の縁と睫毛の生え際に沿って対向配置される。
【００４３】
把持部６を持って湾曲部４Ａを目の縁若しくは睫毛の生え際へ押し付けると、円筒押圧面１０が接触する範囲に化粧液が付着し、アイラインが描かれる。アイラインの太さは、円筒押圧面１０の押圧力を調整することによって任意の太さに調整でき、より太幅のアイラインを描く場合には、図６の矢印で示すように、湾曲部４Ａを押し付けながらその軸回りで回転するように把持部６を揺動させる。
【００４４】
睫毛の生え際では、従来のようにアイライナーをなぞってアイラインを描こうとすると、睫毛の抵抗によってアイラインを描くことが極めて困難であるが、本発明に係るアイライナー１によれば、塗布体４を押し付けて化粧液を付着させるので、睫毛の抵抗を受けずに睫毛の生え際であっても均一幅のアイラインを描くことが出来る。また、円筒押圧面１０による押し付け位置を移動させることにより、睫毛を避けてドット状に化粧料を付着させる従来の化粧方法に比べて、所望長さの任意幅のアイラインを短時間に描くことができる。
【００４５】
アイラインの両端を、目の縁に沿って先細りのラインとする場合には、塗布体４を先端側に傾け、砲弾状湾曲部４Ｂの裁頭円錐押圧面１１を目の縁若しくは睫毛の生え際に押し当てる。円錐押圧面１１の接触面は、塗布体４の先端側に向かって先細りの扇形となるので、裁頭円錐押圧面１１を押し付けて、先細りのアイラインを描くことが出来る。
【００４６】
また、目の下側の縁に沿ってアイラインを引く場合には、把持部６を左手に持ち替えて軸回りに１８０度回転させ、湾曲部４Ａの円筒押圧面１０を、目の下側の縁と睫毛の生え際に沿って対向させる。１８０度回転させた湾曲部４Ａと砲弾状湾曲部４Ｂは、目の下側の縁に沿って下方に湾曲するので、同様に円筒押圧面１０若しくは円錐押圧面１１を押し当てるだけで、目の縁若しくは睫毛の生え際に沿ってアイラインを描くことが出来る。
【００４７】
尚、左利きの人が、同様の方法でアイラインを描くように、内連結軸５を塗布体４に対して長手方向の対称位置へ一体に連結したアイライナー１’を別に用意しても良い。
【００４８】
上述の第１実施の形態に係るアイライナー１は、プラスチック坦体からなる塗布体４の表面にフロック処理を行って化粧液を含浸させたが、塗布体４は、表面に化粧液を含浸できるものであれば、フェルトゴム、スポンジゴム、スポンジ状軟質プラスチックなどで形成するものであっても良い。
【００４９】
図７は、硬質プラスチックからなる偏平な支持板２１と、支持板２１の底面に固着された多孔質のスポンジゴムからなる弾性部２２とで塗布体２３を形成した本発明の第２の実施の形態に係るアイライナー２０の要部を示す斜視図であり、支持板２１は、支持板２１の平面に平行なＸＹ平面上の円弧Ｒ３に沿って湾曲する円弧状に形成されている。また、支持板２１の平面上の一側に、図示しない把持部が軸線の延長方向に取り付けられた連結軸２４が、前記ＸＹ平面と交差する斜め上方に向けて一体に連設されている。
【００５０】
弾性部２２は、横断面が半円形の細長ロッド状に形成され、平面が支持板２１の底面に沿って接着剤などによって固着されることにより、支持板２１と同じ円弧Ｒ３の曲率で湾曲し、支持板２１と弾性部２２からなる塗布体２３の全体が湾曲部２５となっている。この湾曲部２５の円弧Ｒ３の曲率は、塗布体２３が目の縁に沿って湾曲するように、その曲率が設定される。
【００５１】
このアイライナー２０は、支持板２１の平面に平行なＸＹ平面の一側に把持部が連結され、他側の半円柱状の弾性部２２の表面が円筒押圧面２６となり、弾性部２２に化粧液を含浸させて円筒押圧面を目の縁、若しくは睫毛の生え際へ押し付けることによって、上記実施の形態と同様にアイラインを描くことが出来る。
【００５２】
上述の各実施の形態において、塗布体４、２３に連結する連結軸５、２４は、塗布体４、２３の端部に連結しているが、塗布体４、２３の中間に連結させてもよい。
【００５３】
また、塗布体４、２３は、円形若しくは半円形の横断面形状としたが、少なくとも目の縁や睫毛の生え際へ押し付ける押圧面が、軸回りに目の縁を転動可能な円筒押圧面若しくは裁頭円錐押圧面であれば、任意形状とすることができる。
【００５４】
また、上記各実施の形態では、塗布体４、２３の全体を湾曲させて湾曲部４Ａ、４Ｂ、２５としているが、少なくとも塗布体の一部に湾曲部が形成されていればよい。
【産業上の利用可能性】
【００５５】
本発明は、目の縁の睫毛の生え際までアイラインを描くアイライナーに適している。
【図面の簡単な説明】
【００５６】
【図１】本発明の第１実施の形態に係るアイライナー１と容器本体２の縦断面図である。
【図２】アイライナー１の要部斜視図である。
【図３】塗布具３の（ａ）は、平面図、（ｂ）は、左側面図、（ｃ）は、正面図、（ｄ）は、右側面図（ｅ）は、底面図、（ｆ）は、正面図のＡ−Ａ線で切断した端面図である。
【図４】塗布具３の斜視図である。
【図５】ＸＹ平面と直交する上方から塗布体４を視た平面図である。
【図６】アイライナ１の使用状態を示す斜視図である。
【図７】本発明の第２実施の形態に係るアイライナー２０の要部を示す斜視図である。
【図８】従来のアイライナー１００を示す部分断面図である。
【符号の説明】
【００５７】
１、２０      アイライナー
４、２３      塗布体
４Ａ、２５    湾曲部
４Ｂ          砲弾状湾曲部
５、２４      連結軸
６            把持部
９            フロック（起毛）
１０、２６    円筒押圧面
１１          裁頭円錐押圧面
【図１】
2008289689.tif 000003
【図２】
2008289689.tif 000004
【図３】
2008289689.tif 000005
【図４】
2008289689.tif 000006
【図５】
2008289689.tif 000007
【図６】
2008289689.tif 000008
【図７】
2008289689.tif 000009
【図８】
2008289689.tif 000010